(57)【特許請求の範囲】
【請求項１】
内側に家庭用薄葉紙を収納するとともに、前記家庭用薄葉紙の取出口を有する容器本体と、前記容器本体に取付けられて前記取出口を開閉する蓋体と、を備える家庭用薄葉紙収納容器であって、
前記蓋体及び前記容器本体は、前記取出口の閉状態にて複数箇所で互いに対向するように形成され、
前記蓋体は、
複数の蓋体側対向部のうち、第１蓋体側対向部に設けられた第１係合部と、
前記複数の蓋体側対向部のうち、前記第１蓋体側対向部と異なる第２蓋体側対向部に設けられた第２係合部と、
前記取出口を開閉するように前記容器本体に対して当該蓋体を回動自在とする回動軸と、を備え、
前記容器本体は、
前記取出口の閉状態にて前記第１蓋体側対向部に対向する第１本体側対向部に設けられ、前記第１係合部と係合して当該第１係合部よりも内側に配置される第１被係合部と、
前記取出口の閉状態にて前記第２蓋体側対向部に対向する第２本体側対向部に設けられ、前記第２係合部と係合して当該第２係合部よりも外側に配置される第２被係合部と、を備え、
前記取出口を閉状態から開状態とするために前記蓋体の前記回動軸と反対側の一端部を跳ね上げる動作を行う操作部を備え、
前記第１蓋体側対向部及び前記第２蓋体側対向部は、前記蓋体の前記回動軸と前記一端部との中間部分よりも前記一端部側にそれぞれ配設され、
前記蓋体の前記中間部分よりも前記一端部側に、当該蓋体の外側に凸の略円弧状に湾曲された湾曲部が形成され、
前記第１蓋体側対向部及び前記第２蓋体側対向部のうち、何れか一方が前記一端部に配設され、且つ、他方が前記湾曲部に配設されていることを特徴とする家庭用薄葉紙収納容器。
【請求項２】
内側に家庭用薄葉紙を収納するとともに、前記家庭用薄葉紙の取出口を有する容器本体と、前記容器本体に取付けられて前記取出口を開閉する蓋体と、を備える家庭用薄葉紙収納容器であって、
前記蓋体及び前記容器本体は、前記取出口の閉状態にて複数箇所で互いに対向するように形成され、
前記蓋体は、
複数の蓋体側対向部のうち、第１蓋体側対向部に設けられた第１係合部と、
前記複数の蓋体側対向部のうち、前記第１蓋体側対向部と異なる第２蓋体側対向部に設けられた第２係合部と、
前記取出口を開閉するように前記容器本体に対して当該蓋体を回動自在とする回動軸と、を備え、
前記容器本体は、
前記取出口の閉状態にて前記第１蓋体側対向部に対向する第１本体側対向部に設けられ、前記第１係合部と係合して当該第１係合部よりも内側に配置される第１被係合部と、
前記取出口の閉状態にて前記第２蓋体側対向部に対向する第２本体側対向部に設けられ、前記第２係合部と係合して当該第２係合部よりも外側に配置される第２被係合部と、を備え、
前記取出口を閉状態から開状態とするために前記蓋体の前記回動軸と反対側の一端部を跳ね上げる動作を行う操作部を備え、
前記第１蓋体側対向部及び前記第２蓋体側対向部は、前記蓋体の前記回動軸と前記一端部との中間部分よりも前記一端部側にそれぞれ配設され、
前記蓋体の前記中間部分よりも前記一端部側に、当該蓋体の外側に凸の略円弧状に湾曲された湾曲部が前記一端部を挟むように二つ形成され、
前記第１蓋体側対向部及び前記第２蓋体側対向部は、前記二つの湾曲部の各々にそれぞれ配設されていることを特徴とする家庭用薄葉紙収納容器。
【請求項３】
前記容器本体は、上面に前記取出口が形成されるとともに底面に底面開口が形成され、
前記底面開口を塞ぐ底蓋を備えることを特徴とする請求項１又は２に記載の家庭用薄葉紙収納容器。
【発明の詳細な説明】
【技術分野】
【０００１】
本発明は、ウェットティシュー等の家庭用薄葉紙を収納する家庭用薄葉紙収納容器に関する。
【背景技術】
【０００２】
従来より、家屋の床やトイレ、或いは人体などを拭くためのウェットティシューを収納するウェットティシュー収納容器が知られている。
ウェットティシュー収納容器は、一般的に外形が略直方体状に形成されており、内側の収納空間部に収納されたウェットティシューを天面部に形成された取出口から引き出して使用するようになっている。そして、不使用時には、取出口を上蓋で塞いで閉状態とすることにより、ウェットティシューからの水分の蒸発やゴミの付着等を防止する（例えば、特許文献１参照）。
【特許文献１】特開２０００−１４２８４２号公報
【発明の開示】
【発明が解決しようとする課題】
【０００３】
ところで、上記特許文献１等の場合、取出口を閉じた状態における上蓋は、その自由端部に設けられた係合部を容器本体に設けられた被係合部と係合させることにより、容器本体に係止されるようになっている。
しかしながら、係合部と被係合部は一組しか設けられていないため、ウェットティシュー収納容器の成形時の不良や経時的な変形によって上蓋や容器本体が歪んでしまうと、係合部と被係合部との係合不良が生じて、容器本体に対して上蓋を適正に係止することができないといった問題が生じてしまう。
【０００４】
そこで、本発明の課題は、取出口を閉状態とする蓋体の係止を適正に行うことができる蓋体の開閉動作を家庭用薄葉紙収納容器を提供することである。
【課題を解決するための手段】
【０００５】
請求項１に記載の発明は、
内側に家庭用薄葉紙を収納するとともに、前記家庭用薄葉紙の取出口を有する容器本体と、前記容器本体に取付けられて前記取出口を開閉する蓋体と、を備える家庭用薄葉紙収納容器であって、
前記蓋体及び前記容器本体は、前記取出口の閉状態にて複数箇所で互いに対向するように形成され、
前記蓋体は、
複数の蓋体側対向部のうち、第１蓋体側対向部に設けられた第１係合部と、
前記複数の蓋体側対向部のうち、前記第１蓋体側対向部と異なる第２蓋体側対向部に設けられた第２係合部と、
前記取出口を開閉するように前記容器本体に対して当該蓋体を回動自在とする回動軸と、を備え、
前記容器本体は、
前記取出口の閉状態にて前記第１蓋体側対向部に対向する第１本体側対向部に設けられ、前記第１係合部と係合して当該第１係合部よりも内側に配置される第１被係合部と、
前記取出口の閉状態にて前記第２蓋体側対向部に対向する第２本体側対向部に設けられ、前記第２係合部と係合して当該第２係合部よりも外側に配置される第２被係合部と、を備え、
前記取出口を閉状態から開状態とするために前記蓋体の前記回動軸と反対側の一端部を跳ね上げる動作を行う操作部を備え、
前記第１蓋体側対向部及び前記第２蓋体側対向部は、前記蓋体の前記回動軸と前記一端部との中間部分よりも前記一端部側にそれぞれ配設され、
前記蓋体の前記中間部分よりも前記一端部側に、当該蓋体の外側に凸の略円弧状に湾曲された湾曲部が形成され、
前記第１蓋体側対向部及び前記第２蓋体側対向部のうち、何れか一方が前記一端部に配設され、且つ、他方が前記湾曲部に配設されていることを特徴としている。
【０００８】
請求項２に記載の発明は、
内側に家庭用薄葉紙を収納するとともに、前記家庭用薄葉紙の取出口を有する容器本体と、前記容器本体に取付けられて前記取出口を開閉する蓋体と、を備える家庭用薄葉紙収納容器であって、
前記蓋体及び前記容器本体は、前記取出口の閉状態にて複数箇所で互いに対向するように形成され、
前記蓋体は、
複数の蓋体側対向部のうち、第１蓋体側対向部に設けられた第１係合部と、
前記複数の蓋体側対向部のうち、前記第１蓋体側対向部と異なる第２蓋体側対向部に設けられた第２係合部と、
前記取出口を開閉するように前記容器本体に対して当該蓋体を回動自在とする回動軸と、を備え、
前記容器本体は、
前記取出口の閉状態にて前記第１蓋体側対向部に対向する第１本体側対向部に設けられ、前記第１係合部と係合して当該第１係合部よりも内側に配置される第１被係合部と、
前記取出口の閉状態にて前記第２蓋体側対向部に対向する第２本体側対向部に設けられ、前記第２係合部と係合して当該第２係合部よりも外側に配置される第２被係合部と、を備え、
前記取出口を閉状態から開状態とするために前記蓋体の前記回動軸と反対側の一端部を跳ね上げる動作を行う操作部を備え、
前記第１蓋体側対向部及び前記第２蓋体側対向部は、前記蓋体の前記回動軸と前記一端部との中間部分よりも前記一端部側にそれぞれ配設され、
前記蓋体の前記中間部分よりも前記一端部側に、当該蓋体の外側に凸の略円弧状に湾曲された湾曲部が前記一端部を挟むように二つ形成され、
前記第１蓋体側対向部及び前記第２蓋体側対向部は、前記二つの湾曲部の各々にそれぞれ配設されていることを特徴としている。
【０００９】
請求項３に記載の発明は、請求項１又は２に記載の家庭用薄葉紙収納容器において、
前記容器本体は、上面に前記取出口が形成されるとともに底面に底面開口が形成され、
前記底面開口を塞ぐ底蓋を備えることを特徴としている。
【発明の効果】
【００１０】
請求項１に記載の発明によれば、蓋体の第１蓋体側対向部の第１係合部と容器本体の第１本体側対向部の第１被係合部を係合させるとともに、蓋体の第２蓋体側対向部の第２係合部と容器本体の第２本体側対向部の第２被係合部を係合させて取出口の閉状態とすることで、容器本体の第１被係合部を蓋体の第１係合部よりも内側に配置させるとともに、容器本体の第２被係合部を蓋体の第２係合部よりも外側に配置させることができ、収納容器の成形時の不良や経時的な変形によって蓋体や容器本体が歪んでしまっても、複数組の係合部及び被係合部のうち、何れか一組は係合不良を生じさせ難くなって、取出口を閉状態とする蓋体の係止を適正に行うことができる。
さらに、蓋体を開閉動作させる際に、係合部及び被係合部の各組にかかる力を分散させることができ、係合部及び被係合部における係合動作及びその解除動作により発せられる音をより小さくすることができる。
また、操作部の所定操作に基づいて蓋体の一端部を跳ね上げて取出口を閉状態から開状態とする際に、係合部と被係合部の係合を解除するための力を係合部及び被係合部の各組に対して好適に伝えることができる。
また、第１係合部及び第２係合部のうち、何れか一方を蓋体の一端部に配設して、他方を湾曲部に配設することができ、収納容器の成形時の不良や経時的な変形によって蓋体や容器本体が歪んでしまっても、第１係合部と第１被係合部及び第２係合部と第２被係合部のうち、少なくとも何れか一組は係合不良を生じさせ難くすることができる。
【００１３】
請求項２に記載の発明によれば、蓋体の第１蓋体側対向部の第１係合部と容器本体の第１本体側対向部の第１被係合部を係合させるとともに、蓋体の第２蓋体側対向部の第２係合部と容器本体の第２本体側対向部の第２被係合部を係合させて取出口の閉状態とすることで、容器本体の第１被係合部を蓋体の第１係合部よりも内側に配置させるとともに、容器本体の第２被係合部を蓋体の第２係合部よりも外側に配置させることができ、収納容器の成形時の不良や経時的な変形によって蓋体や容器本体が歪んでしまっても、複数組の係合部及び被係合部のうち、何れか一組は係合不良を生じさせ難くなって、取出口を閉状態とする蓋体の係止を適正に行うことができる。
さらに、蓋体を開閉動作させる際に、係合部及び被係合部の各組にかかる力を分散させることができ、係合部及び被係合部における係合動作及びその解除動作により発せられる音をより小さくすることができる。
また、操作部の所定操作に基づいて蓋体の一端部を跳ね上げて取出口を閉状態から開状態とする際に、係合部と被係合部の係合を解除するための力を係合部及び被係合部の各組に対して好適に伝えることができる。
また、第１係合部及び第２係合部のうち、何れか一方の係合部を蓋体の一端部を挟むように設けられた二つの湾曲部のうちの何れか一方の湾曲部に配設して、他方の係合部を他方の湾曲部に配設することができ、収納容器の成形時の不良や経時的な変形によって蓋体や容器本体が歪んでしまっても、第１係合部と第１被係合部及び第２係合部と第２被係合部のうち、少なくとも何れか一組は係合不良を生じさせ難くすることができる。
【００１４】
請求項３に記載の発明によれば、容器本体の底面開口を底蓋により塞ぐ構成の家庭用薄葉紙収納容器であっても、請求項１又は２に記載の発明と同様の効果を得ることができる。即ち、容器本体に対する底蓋の不適正な取り付けによって容器本体が歪んでしまっても、第１係合部と第１被係合部及び第２係合部と第２被係合部のうち、少なくとも何れか一組は係合不良を生じさせ難くすることができる。
【発明を実施するための最良の形態】
【００１５】
以下に、本発明について、図面を用いて具体的な態様を説明する。ただし、発明の範囲は、図示例に限定されない。
図１は、本発明を適用した好適な一実施形態として例示するウェットティシュー収納容器１００を示す斜視図であり、図２は、ウェットティシュー収納容器１００を示す正面図である。また、図３及び図４は、ウェットティシュー収納容器１００を示す平面図であり、図４にあっては、上蓋３を破線で表し、当該上蓋３を透過した状態を図示している。また、図５は、図３のV−V線におけるウェットティシュー収納容器１００の断面図であり、収納空間部５からウェットティシューＰが一枚引き出された状態を表している。
なお、図５並びに後述する図９（ａ）及び図１０（ａ）にあっては、第１上蓋側凸部３３１（後述）及び第１本体側凸部１４５（後述）を模式的に破線で表している。
また、以下の説明では、ウェットティシュー収納容器１００の前後方向をＸ軸方向として、操作部４が設けられている側を前側とし、操作部４と反対側を後側とする。さらに、左右方向（幅方向）をＹ軸方向とし、上下方向をＺ軸方向とする。
【００１６】
本実施形態のウェットティシュー収納容器１００は、例えば、図１〜図５に示すように、平面視にて略楕円形をなし全体としてドーム状に形成され、具体的には、内側にウェットティシューＰ（図５参照）を収納する容器本体１と、この容器本体１の底面開口１１（図５参照）を塞ぐ底蓋２と、容器本体１の上部に設けられたウェットティシューＰの取出口１２（図５参照）を開閉するように当該容器本体１に回動自在に取り付けられた上蓋３と、取出口１２を開状態とするために操作される操作部４と、ウェットティシューＰが収納される収納空間部５（図５参照）を気密状態とする気密部６（図５参照）等を備えて構成されている。
【００１７】
先ず、容器本体１について、図２〜図７を参照して詳細に説明する。
ここで、図６は、ウェットティシュー収納容器１００から上蓋３を取り外した状態を示す平面図であり、図７は、図６のVII−VII線におけるウェットティシュー収納容器１００の部分断面図である
【００１８】
容器本体１は、例えば、ＰＰ（ポリプロピレン）等の熱可塑性樹脂を射出成形することにより製造される部材である。また、容器本体１は、上下両側に開口を有し、且つ、周面が曲面形状に形成された部材であり、底面開口１１を塞ぐように底蓋２が取り付けられることにより、この底蓋２とともにウェットティシューＰを収納する収納空間部５を構成するものである。
具体的には、容器本体１は、例えば、図２〜図７に示すように、下端部に断面略楕円形状の底面開口１１を有し、上部側ほど小径となるように湾曲して形成された周面部１３と、この周面部１３の上端に連続して形成され、収納空間部５に収納されたウェットティシューＰを取り出すための取出口１２を具備する上面開口部１４等を備えている。
【００１９】
周面部１３の下端部と底蓋２の上端部が係合することにより、底面開口１１を塞ぐことができる一方で、当該係合を解除することにより、当該容器本体１の内側を開放（露出）させるようになっている。従って、収納空間部５にウェットティシューＰを収納する場合には、底蓋２を周面部１３から取り外して当該容器本体１の内側を開放してウェットティシューＰを収納し、その後、周面部１３に底蓋２を取り付けることにより、底面開口１１を塞ぐようになっている。
【００２０】
また、周面部１３の下端部には、正面視にて操作部４の左右両側に、当該容器本体１と底蓋２の取付位置を案内する機能を有し、底蓋２の把持部２１、２１（後述）の凹部２１１、２１１（後述）と係合する凸部１５５、１５５が設けられている。
【００２１】
ここで、底蓋２について詳細に説明する。
底蓋２は、例えば、ＰＰ等の熱可塑性樹脂を射出成形することにより製造される部材である。また、底蓋２は、平面視にて容器本体１の底面開口１１と略同形状の略楕円形状をなす底蓋本体部２０と、底蓋本体部２０の外端面から外側に突出するように形成され、当該底蓋２の着脱動作の際に把持される２つの把持部２１、２１を備えている。
【００２２】
各把持部２１は、正面視にて上記操作部４の左右両側にそれぞれ配設され、当該底蓋２と容器本体１の取付位置を案内する機能を有し、容器本体１の凸部１５５と係合する凹部２１１が設けられている。
【００２３】
即ち、底蓋２を容器本体１に取り付ける際には、各凸部１５５とそれぞれ対応する凹部２１１が合致するように係合させることにより、周面部１３の下端部と底蓋２の上端部が正しい取付位置で係合されるようになっている。
これにより、容器本体１や底蓋２に歪みを生じさせることがなくなって、容器本体１と底蓋２が隙間なく密閉されて気密性を損なうことがない。
【００２４】
なお、収納空間部５には、例えば、複数枚のウェットティシューＰ、…が積層された状態で収納されるようになっており、継続して当該収納容器１００から取り出せるように交互に折り重ねられている。即ち、ウェットティシューＰを外へ引き出したときに、次のウェットティシューＰがその上端が取出口１２よりも突出する位置まで収納空間部５から引き出されるようになっている（図５参照）。
なお、図５にあっては、ウェットティシューＰが積層された状態を模式的に表している。
【００２５】
上面開口部１４は、例えば、周面部１３の上端部に連続して形成され、略Ｚ軸方向（上下方向）に延在する外側壁面部１４１と、外側壁面部１４１の下端部に連続して形成され、Ｘ軸方向及びＹ軸方向と略平行に延在する外側環状平面部１４２と、外側環状平面部１４２の内側の端部に連続して形成され、略Ｚ軸方向に沿って延在する内側壁面部１４３と、内側壁面部１４３の上端部に連続して形成され、Ｘ軸方向及びＹ軸方向と略平行に延在する内側環状平面部１４４を備え、内側環状平面部１４４の略中央部に取出口１２が配設されている。
【００２６】
取出口１２は、例えば、図４及び図５に示すように、内側環状平面部１４４の略中央部に取り付けられた気密部６を構成する環状の本体側気密部６１の内縁部によって構成されている。
本体側気密部６１は、例えば、図５に示すように、取出口１２の延在方向に対して略垂直となるように設けられ、径方向外側に突出した凸部が上面開口部１４の内縁部に沿って形成された凹部に嵌め合わされることにより、上面開口部１４に取り付けられている。
なお、上蓋３に設けられ、本体側気密部６１と係合する上蓋側気密部６２については後述する。
【００２７】
内側壁面部１４３の前側部分には、Ｙ軸方向に沿って延在する平面部が形成され、当該平面部のＹ軸方向略中央に前側（容器本体１の外側）に所定の長さ突出された第１本体側凸部（第１被係合部）１４５が形成されている。
第１本体側凸部１４５は、Ｙ軸方向に沿って延在するように形成されている。また、第１本体側凸部１４５は、取出口１２の閉状態（図５等参照）にて、上蓋３の前端面部３３（後述）に形成された第１上蓋側凸部３３１（後述）と係合する（図５参照）。
【００２８】
また、内側壁面部１４３の第１本体側凸部１４５の左右両側には、操作部４の上摘み部４２（後述）の接触部４２３（後述）が係合する被係合部１７、１７が形成されている。
被係合部１７は、例えば、内側壁面部１４３の表面から後側に所定の深さ座刳られ、且つ、Ｙ軸方向に沿って延在するように溝状に形成されている。そして、被係合部１７に接触部４２３が係合することにより、当該上摘み部４２の回動軸部４２２（後述）を中心とする回動が規制される。
【００２９】
外側壁面部１４１は、周面部１３のＸ軸方向前側に設けられた操作部取付部１８（後述）の左右の壁部の壁部１８１、１８１（後述）に連続して形成された左右の円弧状部１４６Ｌ、１４６Ｒを有している。
【００３０】
左右の円弧状部１４６Ｌ、１４６Ｒの各々の内面のＸ軸方向前側部分には、当該円弧状部１４６Ｌ、１４６Ｒから容器本体１の内側に向けて所定の長さ突出された第２本体側凸部（第２被係合部）１４７が形成されている（図６及び図７参照）。
第２本体側凸部１４７は、第１本体側凸部１４５と略同形状をなす部材であり、円弧状部１４６Ｌ、１４６Ｒの周方向に沿って延在するように形成されている。また、各第２本体側凸部１４７は、取出口１２の閉状態（図５等参照）にて、上蓋３の左右側端面部３４Ｌ、３４Ｒ（後述）に形成された第２上蓋側凸部３６１と係合する（図９等参照）。
【００３１】
また、外側壁面部１４１の後端部には、上蓋３を回動自在に取り付けるためのヒンジ取付部１５が設けられている。
【００３２】
ヒンジ取付部１５は、例えば、上蓋３をＹ軸方向の回動軸３１１（後述）に沿って回動自在に取り付けるためのものであり、Ｙ軸方向に沿って形成された凹型の軸受部１５１と、上蓋３を開く方向に付勢するねじりコイルバネ等の付勢部材１５２等を備えている。
【００３３】
軸受部１５１は、例えば、図３及び図４に示すように、２つの回動軸３１１、３１１に対応させてＹ軸方向に並んで設けられている。
付勢部材１５２は、上蓋３を開く方向に付勢可能なものであり、操作部４の操作に基づいて回動規制部（後述）による上蓋３の回動の規制が解除された状態では、上蓋３が回動して取出口１２を露出させるようになっている。
なお、付勢部材１５２は、ねじりコイルバネに限られるものではなく、上蓋３を開く方向に付勢可能なものであれば如何なるものであっても良く、例えば、板バネ等を適用することができる。
【００３４】
ここで、上蓋３について図１〜図５並びに図８を参照して説明する。
図８は、上蓋３を裏側から視て示した図である。
上蓋３は、例えば、射出成形により製造され、取出口１２を閉塞するように容器本体１に取り付けられた状態で容器本体１の周面部１３とともにドーム状をなす部材である。具体的には、上蓋３は、例えば、容器本体１のヒンジ取付部１５に取り付けられる回動軸３１１を有する軸部３１と、この軸部３１から前方及び側方に延出された曲面形状の天面部３２と、この天面部３２の前端部の下面から略真下（Ｚ軸方向）に延出するように形成された前端面部３３と、この前端面部３３の左右両側に設けられた左右側端面部３４Ｌ、３４Ｒ（図８参照）等を備えている。
【００３５】
回動軸３１１は、例えば、図３及び図４に示すように、軸部３１のＹ軸方向両側の端部から外方に突出して形成されている。
【００３６】
天面部３２は、例えば、容器本体１の周面部１３の曲率に合わせて所定の曲率を有し、上部側ほど小径となるように湾曲して形成されている。即ち、天面部３２は、例えば、その略中心部分が最も高くなるような形状となっている。
また、天面部３２の下面には、その表面からＺ軸方向下側に延設され、本体側気密部６１とともに気密部６を構成する上蓋側気密部６２が設けられている。
【００３７】
上蓋側気密部６２は、例えば、本体側気密部６１の先端の内側及び外側に接触するように環状部が２重に形成され、上蓋３を前側に回動させることで本体側気密部６１と係合するようになっている。この状態で、上蓋側気密部６２は取出口１２の延在方向に対して略垂直に延在するようになっている。
【００３８】
天面部３２のＸ軸方向前側の部分は、例えば、後側に食い込むように平面視曲線状に湾曲して形成され、その下面からＺ軸方向下側に前端面部３３が延設されている（図８参照）。
【００３９】
前端面部３３は、取出口１２の閉状態（図９参照）にて、上面開口部１４の内側壁面部１４３と対向配置されている。また、前端面部３３は、例えば、天面部３２の前側の部分の曲線形状に沿うように湾曲して形成されている。ここで、前端面部３３は、容器本体１の内側壁面部（第１本体側対向部）１４３と対向する第１蓋体側対向部を構成している。
また、前端面部３３の下端部には、例えば、Ｘ軸方向後側に向けて所定の長さ突出され、且つ、Ｙ軸方向に沿って延在する第１上蓋側凸部（第１係合部）３３１が形成されている。
【００４０】
左右側端面部３４Ｌ、３４Ｒは、当該上蓋３のＹ軸方向（外側）に凸の略円弧状に湾曲された左右湾曲部３５Ｌ、３５Ｒの各々に設けられ、取出口１２の閉状態（図９参照）にて、上面開口部１４の外側壁面部１４１の左右円弧状部１４６Ｌ、１４６Ｒと対向配置されている。即ち、左右側端面部３４Ｌ、３４Ｒは、容器本体１の外側壁面部１４１の左右円弧状部（第２本体側対向部）１４６Ｌ、１４６Ｒと対向する第２蓋体側対向部（第１蓋体側対向部と異なる第２蓋体側対向部）を構成している。
また、左右側端面部３４Ｌ、３４Ｒは、左右湾曲部３５Ｌ、３５ＲのＸ軸方向の中間部分よりも前端面部３３側の前側部分の下面からＺ軸方向下側に延設されている。なお、左右側端面部３４Ｌ、３４Ｒの左右湾曲部３５Ｌ、３５Ｒにおける位置は、適宜任意に変更することができるが、上蓋３のＸ軸方向前側から１／３の位置よりも手前側となるような配置が好ましい。
【００４１】
また、左右側端面部３４Ｌ、３４Ｒの下端部には、例えば、斜め前側に向けて所定の長さ突出された第２上蓋側凸部（第２係合部）３６１が形成されている。
【００４２】
従って、取出口１２を開状態から閉状態とする場合に、上蓋３をＸ軸方向の前側に回動させると、第１上蓋側凸部３３１が第１本体側凸部１４５と係合するとともに、第２上蓋側凸部３６１が第２本体側凸部１４７と係合して、第１本体側凸部１４５が第１上蓋側凸部３３１よりも当該家庭用薄葉紙収納容器１００の内側に配置されるとともに、第２本体側凸部１４７が第２上蓋側凸部３６１よりも当該家庭用薄葉紙収納容器１００の外側に配置された状態となる。
このようにして、上蓋３が係止された状態となって、上蓋３の取出口１２を開放するようなＸ軸方向後側に対する回動が規制される。
ここで、第１上蓋側凸部３３１及び第２上蓋側凸部３６１並びに第１本体側凸部１４５及び第２本体側凸部１４７は、上蓋３の回動を規制する回動規制部として機能する。
【００４３】
また、周面部１３のＸ軸方向前側であってＹ軸方向略中央部には、例えば、操作部４を取り付けるための操作部取付部１８が設けられている。
【００４４】
ここで、操作部４について詳細に説明する。
操作部４は、例えば、操作部取付部１８の所定位置に取付固定された下摘み部４１と、この下摘み部４１の上側に設けられた上摘み部４２等を備えて構成されている。
【００４５】
下摘み部４１は、例えば、Ｘ軸方向の断面略Ｌ字状に形成され、先端部がＸ軸方向前側に向けて突出するように配設されている（図５参照）。また、下摘み部４１の先端部は、例えば、ウェットティシュー収納容器１００の周面部１３の曲率に合わせるように所定の曲率をもって湾曲して形成されている。
【００４６】
上摘み部４２は、例えば、取出口１２を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１８に回動自在に取り付けられ、容器本体１に対する回動の中心軸を構成する回動軸部４２２と、上蓋３の前端面部３３の下端部（回動軸と反対側の一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部４２２が形成された中央軸部４２４と、この中央軸部４２４の後側の下端部に連続して設けられ、中央軸部４２４よりも厚さが薄く形成された接触部４２３等を備えている。
【００４７】
中央軸部４２４は、例えば、そのＹ軸方向中央部がそのＹ軸方向両端側よりもＸ軸方向後側に突出するように湾曲して形成され（図４参照）、且つ、当該中央軸部４２４のＹ軸方向両端側よりもＸ軸方向後側ほどより肉厚となるような形状に形成されている（図５等参照）
【００４８】
接触部４２３は、例えば、図４に示すように、Ｙ軸方向に並んで所定間隔を空けて２つ設けられている。
【００４９】
また、上摘み部４２の操作レバー部４２１の先端部は、例えば、ウェットティシュー収納容器１００の周面部１３の曲率に合わせるように所定の曲率をもって湾曲して形成されている。
【００５０】
操作部取付部１８は、Ｚ軸方向略中央部から上端部にかけて後側に所定の深さ切り欠かれてなり、上端部は上面開口部１４の外側環状平面部１４２に連続するような形状となっている。
具体的には、操作部取付部１８は、例えば、容器本体１の取出口１２よりも前方の左右両側に形成され、上摘み部４２が取り付けられる左右の壁部１８１、１８１と、左右の壁部１８１、１８１の各々の内面から内側に突出するように形成され、下摘み部４１が取り付けられる溝部１８２等を備えている。
【００５１】
左右の壁部１８１、１８１の各々は、例えば、収納空間部５の外側となる位置に形成され、Ｙ軸方向に沿うように略垂直に、且つ、Ｘ軸方向に沿って延在するように起立して形成されている。また、左右の壁部１８１、１８１の各々には、例えば、上摘み部４２の回動軸部４２２が取り付けられる取付穴部１８３が設けられ、取付穴部１８３の位置規制凸部１８４（後述）の下側に、当該壁部１８１の表面から所定の深さ座刳られてなる下側穴部１８５が形成されている（図５及び図６参照）。
【００５２】
取付穴部１８３は、例えば、壁部１８１の内面からＹ軸方向外側に所定の深さ座刳られてなり、Ｘ軸方向に沿って延在するように長円形状に形成されている。
取付穴部１８３のＸ軸方向の長さは、例えば、上摘み部４２をＸ軸方向にスライドさせて、操作部４による取出口１２を開状態とするための操作をロックするロック位置とアンロックするアンロック位置に配置することができる程度となっている。
ここで、上摘み部４２のロック位置とは、接触部４２３が被係合部１７に係合されることで回動軸部４２２を中心とする上摘み部４２の回動を規制する位置であり、アンロック位置とは、接触部４２３と被係合部１７の係合が解除されて上蓋３を跳ね上げ可能となるように前端面部３３の下端部の下側に接触部４２３が配置された位置（接触位置）のことである。即ち、上摘み部４２がアンロック位置に配された状態では（図５及び図１０参照）、取付穴部１８３の内周面の後側部分に上摘み部４２の回動軸部４２２の外面が接触した状態となる一方で、上摘み部４２がロック位置に配された状態では（図９参照）、取付穴部１８３の内周面の前側部分に上摘み部４２の回動軸部４２２の外面が接触した状態となる。
【００５３】
また、取付穴部１８３の内周面のうち、Ｘ軸方向の略中央となる下側部分には、例えば、位置規制凸部１８４が上向きに突設されている。
位置規制凸部１８４は、例えば、取付穴部１８３の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１８４を乗り越えるようにしてＸ軸方向に移動することとなり、上摘み部４２がロック位置若しくはアンロック位置に配された状態では、位置規制凸部１８４により回動軸部４２２が取付穴部１８３内にてＸ軸方向に自由に移動することが規制されるようになっている。
【００５４】
下側穴部１８５は、例えば、位置規制凸部１８４を挟むように取付穴部１８３に対向する位置に設けられている。これにより、取付穴部１８３内を回動軸部４２２がＸ軸方向に移動する際に、回動軸部４２２により位置規制凸部１８４が下側穴部１８５側に押し込まれて取付穴部１８３が弾性変形することとなる。
【００５５】
次に、取出口１２を開放状態とするための操作部４の操作及び当該操作のロック機構について図５、図９及び図１０を参照して説明する。
ここで、図９は、上摘み部４２がロック位置に配された状態を表し、図１０は、取出口１２を開放状態とするために上摘み部４２が操作された状態を表している。また、図９（ａ）及び図１０（ａ）は、図５の領域Ａの要部拡大断面図であり、図９（ｂ）及び図１０（ｂ）は、図６のVII−VII線と同じ位置におけるウェットティシュー収納容器１００の要部拡大断面図である。
【００５６】
先ず、上蓋３が閉じられた状態から取出口１２を開放状態とする場合、上摘み部４２を回動軸部４２２が取付穴部１８３に沿ってスライドするように引き出してアンロック位置に配設する（図５参照）。このとき、回動軸部４２２がＸ軸方向前側に移動して位置規制凸部１８４を乗り越える際には、位置規制凸部１８４の下側に下側穴部１８５が設けられているため、取付穴部１８３が弾性変形することとなり、上摘み部４２をスムーズに移動させることができる。
これにより、上摘み部４２は、接触部４２３が上蓋３の前端面部３３の下端部の下側となる接触位置、即ち、アンロック位置に配置される。
【００５７】
この状態で、上摘み部４２の操作レバー部４２１が下側に移動するように操作されると、上摘み部４２は回動軸部４２２を中心として接触部４２３が上側に移動するように回動して、当該接触部４２３が前端面部３３の下端部に接触する。このとき、前端面部３３の下端部に回動規制部（第１上蓋側凸部３３１及び第２上蓋側凸部３６１並びに第１本体側凸部１４５及び第２本体側凸部１４７）の規制力より大きな力が加わることで上蓋３を跳ね上げて（図６参照）、これにより、付勢部材１５２により付勢される上蓋３は、Ｘ軸方向の後側に回動して取出口１２を開放状態とするようになっている。
【００５８】
次に、上摘み部４２をロック位置に配設する場合について説明する。
例えば、アンロック位置に配設された上摘み部４２をロック位置に移動させる場合、当該上摘み部４２を回動軸部４２２が取付穴部１８３に沿ってスライドするように押し込む。このとき、回動軸部４２２がＸ軸方向後側に移動する際には、アンロック位置に配設する場合と同様に、下側穴部１８５により取付穴部１８３が弾性変形することで回動軸部４２２が位置規制凸部１８４を乗り越えて上摘み部４２をスムーズに移動させることができる。
そして、Ｘ軸方向後側に移動する接触部４２３は、被係合部１７に係合してＹ軸方向を軸心とする回動が規制された状態となり、当該接触部４２３を前端面部３３の下端部に接触不可能な接触不可位置、即ち、ロック位置に配置される。
【００５９】
以上のように、本実施形態のウェットティシュー収納容器１００によれば、上蓋３及び容器本体１は、取出口１２の閉状態にて複数箇所で互いに対向するように形成され、具体的には、取出口１２の閉状態にて、上蓋３の前端面部３３と容器本体１の内側壁面部１４３が対向配置されるとともに、左右側端面部３４Ｌ、３４Ｒと容器本体１の左右円弧状部１４６Ｌ、１４６Ｒが対向配置される。
このとき、上蓋３の内側に向けて突出された第１上蓋側凸部３３１と容器本体１の外側に向けて突出された第１本体側凸部１４５を係合させるとともに、上蓋３の外側に向けて突出された第２上蓋側凸部３６１と容器本体１の内側に向けて突出された第２本体側凸部１４７を係合させることができ、これにより、第１本体側凸部１４５を第１上蓋側凸部３３１よりも当該家庭用薄葉紙収納容器１００の内側に配置させるとともに、第２本体側凸部１４７を第２上蓋側凸部３６１よりも当該家庭用薄葉紙収納容器１００の外側に配置させることができるので、当該収納容器１００の成形時の不良や経時的な変形によって上蓋３や容器本体１が歪んでしまっても、第１上蓋側凸部３３１と第１本体側凸部１４５の係合及び第２上蓋側凸部３６１と第２本体側凸部１４７の係合のうち、何れか一組は係合不良を生じさせ難くすることができる。即ち、第１上蓋側凸部３３１と第２上蓋側凸部３６１の突出方向が互いに逆向きとなっているとともに、第１本体側凸部１４５と第２本体側凸部１４７の突出方向が互いに逆向きとなっているため、例えば、第１本体側凸部１４５が第１上蓋側凸部３３１から離れる方向（例えば、Ｘ軸方向後側）に容器本体１が歪んだ場合には、第２本体側凸部１４７は第２上蓋側凸部３６１と近付くこととなり、一方、第２本体側凸部１４７が第２上蓋側凸部３６１から離れる方向（例えば、Ｘ軸方向前側）に容器本体１が歪んだ場合には、第１本体側凸部１４５は第１上蓋側凸部３３１と近付くこととなる。また、上蓋３の場合も同様に、第１上蓋側凸部３３１が第１本体側凸部１４５から離れる方向（例えば、Ｘ軸方向前側）に上蓋３が歪んだ場合には、第２上蓋側凸部３６１は第２本体側凸部１４７と近付くこととなり、一方、第２上蓋側凸部３６１が第２本体側凸部１４７から離れる方向（例えば、Ｘ軸方向後側）に上蓋３が歪んだ場合には、第１上蓋側凸部３３１は第１本体側凸部１４５と近付くこととなる。
従って、３組の上蓋側凸部と本体側凸部の係合のうち、少なくとも何れか一組は係合不良を生じさせ難くすることができ、取出口１２を閉状態とする上蓋３の係止を適正に行うことができる。
【００６０】
さらに、上蓋３を開閉動作させる際に、第１上蓋側凸部３３１と第１本体側凸部１４５及び第２上蓋側凸部３６１と第２本体側凸部１４７の各組にかかる力を分散させることができ、係合動作及びその解除動作により発せられる音をより小さくすることができることとなって、当該ウェットティシュー収納容器１００の製品価値を向上させることができる。
【００６１】
また、第１上蓋側凸部３３１と第１本体側凸部１４５及び第２上蓋側凸部３６１と第２本体側凸部１４７は、上蓋３の軸部３１と前端面部３３との中間部分よりも前端面部３３側に配設されているので、操作部４の所定操作に基づいて上蓋３の前端面部３３を跳ね上げて取出口１２を閉状態から開状態とする際に、第１上蓋側凸部３３１と第１本体側凸部１４５及び第２上蓋側凸部３６１と第２本体側凸部１４７の係合を解除するための力を各組に好適に伝えることができる。
【００６２】
さらに、第１上蓋側凸部３３１が前端面部３３に配置され、第２上蓋側凸部３６１が左右側端面部３４Ｌ、３４Ｒに配置されている。即ち、第１上蓋側凸部３３１及び第２上蓋側凸部３６１のうち、何れか一方を上蓋３の前端面部３３に配設して、他方を左右湾曲部３５Ｌ、３５Ｒの左右側端面部３４Ｌ、３４Ｒに配設することができ、当該収納容器１００の成形時の不良や経時的な変形によって上蓋３や容器本体１が歪んでしまっても、第１上蓋側凸部３３１と第１本体側凸部１４５及び第２上蓋側凸部３６１と第２本体側凸部１４７のうち、少なくとも何れか一組は係合不良を生じさせ難くすることができる。
【００６３】
なお、本発明は、上記実施形態に限定されることなく、本発明の趣旨を逸脱しない範囲において、種々の改良並びに設計の変更を行っても良い。
例えば、上蓋３の前端面部３３に内側に向けて突出する第１上蓋側凸部３３１を設けるとともに左右側端面部３４Ｌ、３４Ｒに外側に向けて突出する第２上蓋側凸部３６１を設け、且つ、容器本体１の内側壁面部１４３に外側に向けて突出する第１本体側凸部１４５を設けるとともに外側壁面部１４１の左右円弧状部１４６Ｌ、１４６Ｒに内側に向けて突出する第２本体側凸部１４７を設けるようにしたが、第１上蓋側凸部３３１及び第２上蓋側凸部３６１並びに第１本体側凸部１４５及び第２本体側凸部１４７の配置はこれに限られるものではない。即ち、上蓋３における第１上蓋側凸部３３１と第２上蓋側凸部３６１の配置を入れ替えるとともに容器本体１における第１本体側凸部１４５と第２本体側凸部１４７の配置を入れ替えるようにしても良い。
【００６４】
また、ウェットティシュー収納容器１００の構成や各部の形状等は、上記実施形態に例示したものは一例であり、これらに限られるものではない。
例えば、上記実施形態にあっては、上蓋３と容器本体１における３箇所の対向部に上蓋側凸部（係合部）と本体側凸部（被係合部）を３組設けるようにしたが、これに限られるものではなく、対向部の数並びに凸部と係合部の組数は複数であれば良い。
【００６５】
さらに、上記実施形態にあっては、上蓋３の前端面部３３に第１上蓋側凸部３３１を設けるとともに容器本体１の内側壁面部１４３に第１本体側凸部１４５を設けるようにしたが、これに限られるものではなく、上蓋３の左右側端面部３４Ｌ、３４Ｒの何れか一方に第１上蓋側凸部３３１を設けるとともに他方に第２上蓋側凸部３６１を設け、且つ、容器本体１の外側壁面部１４１の左右の円弧状部１４６Ｌ、１４６Ｒの何れか一方に第１上蓋側凸部３３１と係合する第１本体側凸部１４５を設けるとともに他方に第２上蓋側凸部３６１と係合する第２本体側凸部１４７を設けるようにしても良い。
即ち、上蓋３と容器本体１の少なくとも２組の対向面のうち、何れか一方の組における上蓋３側に第１上蓋側凸部３３１を設けるとともに容器本体１側に第１本体側凸部１４５を設け、他方の組における上蓋３側に第２上蓋側凸部３６１を設けるとともに容器本体１側に第２本体側凸部１４７を設けるようにすれば良い。
これにより、第１上蓋側凸部３３１及び第２上蓋側凸部３６１のうち、何れか一方の凸部（例えば、第１上蓋側凸部３３１）を上蓋３の前端面部３３を挟むように設けられた左右湾曲部３５Ｌ、３５Ｒの何れか一方の湾曲部（例えば、左湾曲部３５Ｌ）に配設して、他方の凸部（例えば、第２上蓋側凸部３６１）を他方の湾曲部（例えば、右湾曲部３５Ｒ）に配設することができ、当該収納容器１００の成形時の不良や経時的な変形によって上蓋３や容器本体１が歪んでしまっても、第１上蓋側凸部３３１と第１本体側凸部１４５及び第２上蓋側凸部３６１と第２本体側凸部１４７のうち、少なくとも何れか一組は係合不良を生じさせ難くすることができる。
【００６６】
加えて、上記実施形態では、第１係合部及び第２係合部並びに第１被係合部及び第２被係合部として凸型に形成されたものを例示したが、これらの形状はこれに限られるものではない。
即ち、上記実施形態のように第１本体側凸部（第１被係合部）１４５を凸型に形成する場合には、第１係合部を前端面部（第１蓋体側対向部）３３に当該上蓋３の内側に向けて開口するように凹型に形成しても良いし、また、第２本体側凸部（第２被係合部）１４７を凸型に形成する場合には、第２係合部を左右側端面部（第２蓋体側対向部）３４Ｌ、３４Ｒに当該上蓋３の外側に向けて開口するように凹型に形成しても良い。また、第１上蓋側凸部（第１係合部）３３１を凸型に形成する場合には、第１被係合部を内側壁面部（第１本体側対向部）１４３に当該容器本体１の外側に向けて開口するように凹型に形成しても良いし、また、第２上蓋側凸部（第２係合部）３６１を凸型に形成する場合には、第２被係合部を左右円弧状部（第２本体側対向部）１４６Ｌ、１４６Ｒに当該容器本体１の内側に向けて開口するように凹型に形成しても良い。
【００６７】
また、上記実施形態では、ウェットティシュー収納容器１００として底蓋２を備えるものを例示したが、これに限られるものではなく、底蓋２を備えるか否かは適宜任意に変更することができる。即ち、本発明によれば、底蓋２を備えない構成のウェットティシュー収納容器であれば、容器本体１に対する底蓋２の不適正な取り付けによって容器本体１が歪んだ状態となることはないが、例えば、上記実施形態のように、容器本体１の底面開口１１を底蓋２により塞ぐ構成のウェットティシュー収納容器１００であって、容器本体１に対する底蓋２の不適正な取り付けによって容器本体１が歪んでしまっても、第１上蓋側凸部３３１と第１本体側凸部１４５の係合及び第２上蓋側凸部３６１と第２本体側凸部１４７の係合のうち、何れか一組は係合不良を生じさせ難くすることができ、取出口１２を閉状態とする上蓋３の係止を適正に行うことができる。
【００６８】
さらに、上記実施形態にあっては、ウェットティシューＰを収納するウェットティシュー収納容器１００を例示したが、これに限られるものではなく、ウェットシート等の湿性の家庭用薄葉紙やティシューペーパー等のその他の家庭用薄葉紙を収納する家庭用薄葉紙収納容器であっても良い。
【図面の簡単な説明】
【００６９】
【図１】本発明を適用した好適な一実施形態として例示するウェットティシュー収納容器を示す斜視図である。
【図２】図１のウェットティシュー収納容器を示す正面図である。
【図３】図１のウェットティシュー収納容器を示す平面図である。
【図４】図１のウェットティシュー収納容器を示す平面図である。
【図５】図３のV−V線におけるウェットティシュー収納容器の断面図である。
【図６】図１のウェットティシュー収納容器から上蓋を取り外した状態を示す平面図である。
【図７】図６のVII−VII線におけるウェットティシュー収納容器の部分断面図である。
【図８】図１のウェットティシュー収納容器の上蓋を裏側から視て示した図である。
【図９】図１のウェットティシュー収納容器の取出口の閉状態における要部拡大断面図である。
【図１０】図１のウェットティシュー収納容器の取出口の開状態における要部拡大断面図である。
【符号の説明】
【００７０】
１００    ウェットティシュー収納容器（家庭用薄葉紙収納容器）
１        容器本体
１２      取出口
１３      周面部
１４      上面開口部
１４１    外側壁面部
１４３    内側壁面部（第１本体側対向部）
１４５    第１本体側凸部（第１被係合部）
１４６Ｌ  左円弧状部（第２本体側対向部）
１４６Ｒ  右円弧状部（第２本体側対向部）
１４７    第２本体側凸部（第２被係合部）
１５      ヒンジ取付部
１５１    軸受部
２        底蓋
３        上蓋（蓋体）
３１１    回動軸
３３      前端面部（第１蓋体側対向部）
３３１    第１上蓋側凸部（第１係合部）
３４Ｌ    左側端面部（第２蓋体側対向部）
３４Ｒ    右側端面部（第２蓋体側対向部）
３６１    第２上蓋側凸部（第２係合部）
４        操作部
５        収納空間部
Ｐ        ウェットティシュー（家庭用薄葉紙）
【図１】
0005060883.tif 000002
【図２】
0005060883.tif 000003
【図３】
0005060883.tif 000004
【図４】
0005060883.tif 000005
【図５】
0005060883.tif 000006
【図６】
0005060883.tif 000007
【図７】
0005060883.tif 000008
【図８】
0005060883.tif 000009
【図９】
0005060883.tif 000010
【図１０】
0005060883.tif 000011